(57)【要約】  本開示は、データ伝送方法、データ伝送装置およびセッション管理デバイスを提供する。当該データ伝送方法は、下りリンクデータ受信予定の端末の状態情報を取得することと、状態情報に基づいて、現在の下りリンクデータの伝送用の第１ゲートウェイ機能エンティティを端末のために選択することと、第１ゲートウェイ機能エンティティと第２ゲートウェイ機能エンティティとの間の第１データ伝送経路を確定することと、第１データ伝送経路に基づいて、現在の下りリンクデータを伝送することとを含む。【選択図】図３
2019511880.tif 000002
【特許請求の範囲】
【請求項１】
下りリンクデータ受信予定の端末の状態情報を取得することと、
前記状態情報に基づいて、現在の下りリンクデータの伝送用の第１ゲートウェイ機能エンティティを前記端末のために選択することと、
前記第１ゲートウェイ機能エンティティと第２ゲートウェイ機能エンティティとの間の第１データ伝送経路を確定することと、
前記第１データ伝送経路に基づいて、前記現在の下りリンクデータを伝送することとを含むデータ伝送方法。
【請求項２】
下りリンクデータ受信予定の端末の状態情報を取得することは、
前記第２ゲートウェイ機能エンティティから送信される下りリンクデータ通知メッセージを受信することと、
前記下りリンクデータ通知メッセージに基づいて、端末の状態情報を取得する要求情報を、端末状態を管理する機能エンティティに送信することと、
前記端末状態を管理する機能エンティティから、前記要求情報に基づいてフィードバックされる前記端末の状態情報を受信することと
を含む請求項１に記載のデータ伝送方法。
【請求項３】
下りリンクデータ受信予定の端末の状態情報を取得することは、
現在前記第２ゲートウェイ機能エンティティに接続されている第３ゲートウェイ機能エンティティから送信される下りリンクデータ通知メッセージを受信することと、
前記下りリンクデータ通知メッセージに基づいて、端末の状態情報を取得する要求情報を、端末状態を管理する機能エンティティに送信することと、
前記端末状態を管理する機能エンティティから、前記要求情報に基づいてフィードバックされる前記端末の状態情報を受信することと
を含む請求項１に記載のデータ伝送方法。
【請求項４】
前記状態情報に基づいて、現在の下りリンクデータの伝送用の第１ゲートウェイ機能エンティティを前記端末のために選択することは、
前記端末がアイドル状態であると、端末の直近の位置更新時の位置エリア情報に基づいて、現在の下りリンクデータの伝送用の第１ゲートウェイ機能エンティティを選択すること、または、
前記端末が接続状態であると、現在端末にサービスを提供している基地局の情報に基づいて、現在の下りリンクデータの伝送用の第１ゲートウェイ機能エンティティを選択すること
を含む請求項１に記載のデータ伝送方法。
【請求項５】
前記第１ゲートウェイ機能エンティティと第２ゲートウェイ機能エンティティとの間の第１データ伝送経路を確定することは、
現在前記第２ゲートウェイ機能エンティティに接続されている第３ゲートウェイ機能エンティティが前記第１ゲートウェイ機能エンティティとは異なる場合、前記第１ゲートウェイ機能エンティティと前記第２ゲートウェイ機能エンティティとの間の前記第１データ伝送経路を確立することを含む請求項１に記載のデータ伝送方法。
【請求項６】
前記第１データ伝送経路に基づいて、前記現在の下りリンクデータを伝送することは、
前記第１データ伝送経路に基づいて、現在端末にサービスを提供している基地局と前記第１ゲートウェイ機能エンティティとの間の第２データ伝送経路を確立することと、
前記第２データ伝送経路を介して、前記第１ゲートウェイ機能エンティティにバッファリングされている下りリンクデータを前記端末に伝送することと
を含む請求項１に記載のデータ伝送方法。
【請求項７】
前記第１データ伝送経路に基づいて、現在端末にサービスを提供している基地局と前記第１ゲートウェイ機能エンティティとの間の第２データ伝送経路を確立することは、
前記端末がアイドル状態であると、アイドル状態の前記端末にページングメッセージを送信することと、
前記端末から前記ページングメッセージに基づいて送信される端末サービス要求を受信することと、
前記端末サービス要求に基づいて、エアインタフェースベアラの確立要求を、現在端末にサービスを提供している前記基地局に送信することと、
前記端末と前記基地局のエアインタフェースベアラの確立完成後に、前記基地局と前記第１ゲートウェイ機能エンティティとの間の第２データ伝送経路を確立することと
を含む請求項６に記載のデータ伝送方法。
【請求項８】
前記第１データ伝送経路に基づいて、現在端末にサービスを提供している基地局と前記第１ゲートウェイ機能エンティティとの間の第２データ伝送経路を確立することは、
前記端末が接続状態であると、エアインタフェースベアラの確立要求を、現在端末にサービスを提供している前記基地局に送信することと、
前記端末と前記基地局のエアインタフェースベアラの確立完成後に、前記基地局と前記第１ゲートウェイ機能エンティティとの間の第２データ伝送経路を確立することと
を含む請求項６に記載のデータ伝送方法。
【請求項９】
前記第１ゲートウェイ機能エンティティにバッファリングされている下りリンクデータは、前記第２ゲートウェイ機能エンティティから前記第１ゲートウェイ機能エンティティに送信された下りリンクデータ、または、現在前記第２ゲートウェイ機能エンティティに接続されている第３ゲートウェイ機能エンティティから転送経路を介して前記第１ゲートウェイ機能エンティティに転送された下りリンクデータである請求項６に記載のデータ伝送方法。
【請求項１０】
下りリンクデータ受信予定の端末の状態情報を取得するための取得モジュールと、
前記状態情報に基づいて、現在の下りリンクデータの伝送用の第１ゲートウェイ機能エンティティを前記端末のために選択するための選択モジュールと、
前記第１ゲートウェイ機能エンティティと第２ゲートウェイ機能エンティティとの間の第１データ伝送経路を確定するための確定モジュールと、
前記第１データ伝送経路に基づいて、前記現在の下りリンクデータを伝送するための伝送モジュールと
を含むデータ伝送装置。
【請求項１１】
前記取得モジュールは、
第２ゲートウェイ機能エンティティから送信される下りリンクデータ通知メッセージを受信するための第１受信サブモジュールと、
前記下りリンクデータ通知メッセージに基づいて、端末の状態情報を取得する要求情報を、端末状態を管理する機能エンティティに送信するための第１送信サブモジュールと、
前記端末状態を管理する機能エンティティから、前記要求情報に基づいてフィードバックされる前記端末の状態情報を受信するための第２受信サブモジュールと
を含む請求項１０に記載のデータ伝送装置。
【請求項１２】
前記取得モジュールは、
現在前記第２ゲートウェイ機能エンティティに接続されている第３ゲートウェイ機能エンティティから送信される下りリンクデータ通知メッセージを受信するための第３受信サブモジュールと、
前記下りリンクデータ通知メッセージに基づいて、端末の状態情報を取得する要求情報を、端末状態を管理する機能エンティティに送信するための第２送信サブモジュールと、
端末状態を管理する前記機能エンティティから、前記要求情報に基づいてフィードバックされる前記端末の状態情報を受信するための第４受信サブモジュールと
を含む請求項１０に記載のデータ伝送装置。
【請求項１３】
前記選択モジュールは、
前記端末がアイドル状態であると、端末の直近の位置更新時の位置エリア情報に基づいて、現在の下りリンクデータの伝送用の第１ゲートウェイ機能エンティティを選択すること、または、
前記端末が接続状態であると、現在端末にサービスを提供している基地局の情報に基づいて、現在の下りリンクデータの伝送用の第１ゲートウェイ機能エンティティを選択することに用いられる請求項１０に記載のデータ伝送装置。
【請求項１４】
前記確定モジュールは、
現在前記第２ゲートウェイ機能エンティティに接続されている第３ゲートウェイ機能エンティティが前記第１ゲートウェイ機能エンティティとは異なる場合、前記第１ゲートウェイ機能エンティティと前記第２ゲートウェイ機能エンティティとの間の第１データ伝送経路を確立することに用いられる請求項１０に記載のデータ伝送装置。
【請求項１５】
前記伝送モジュールは、
前記第１データ伝送経路に基づいて、現在端末にサービスを提供している基地局と前記第１ゲートウェイ機能エンティティとの間の第２データ伝送経路を確立するための確立サブモジュールと、
前記第２データ伝送経路を介して、前記第１ゲートウェイ機能エンティティにバッファリングされている下りリンクデータを前記端末に伝送するための伝送サブモジュールとを含む請求項１０に記載のデータ伝送装置。
【請求項１６】
前記確立サブモジュールは、
前記端末がアイドル状態であると、アイドル状態の前記端末にページングメッセージを送信するためのページングユニットと、
前記端末から前記ページングメッセージに基づいて送信される端末サービス要求を受信するための第１受信ユニットと、
前記端末サービス要求に基づいて、エアインタフェースベアラの確立要求を、現在前記端末にサービスを提供している基地局に送信するための第１送信ユニットと、
前記端末と前記基地局のエアインタフェースベアラの確立完成後に、前記基地局と前記第１ゲートウェイ機能エンティティとの間の第２データ伝送経路を確立するための第１確立ユニットと
を含む請求項１５に記載のデータ伝送装置。
【請求項１７】
前記確立サブモジュールは、
前記端末が接続状態であると、エアインタフェースベアラの確立要求を、現在前記端末にサービスを提供している基地局に送信するための第２送信ユニットと、
前記端末と前記基地局のエアインタフェースベアラの確立完成後に、前記基地局と前記第１ゲートウェイ機能エンティティとの間の第２データ伝送経路を確立するための第２確立ユニットと
を含む請求項１５に記載のデータ伝送装置。
【請求項１８】
前記第１ゲートウェイ機能エンティティにバッファリングされている下りリンクデータは、
前記第２ゲートウェイ機能エンティティから前記第１ゲートウェイ機能エンティティに送信された下りリンクデータ、または、現在前記第２ゲートウェイ機能エンティティに接続されている第３ゲートウェイ機能エンティティから転送経路を介して前記第１ゲートウェイ機能エンティティに転送された下りリンクデータである請求項１５に記載のデータ伝送装置。
【請求項１９】
プロセッサと、
バスインタフェースを介して前記プロセッサに接続され、前記プロセッサによる操作実行時に使用されるコンピュータコマンドとデータを記憶するためのメモリとを含むデータ伝送装置であって、
前記プロセッサが前記コンピュータコマンドを実行することにより、請求項１〜９のいずれか一項に記載の方法を実現するデータ伝送装置。
【請求項２０】
請求項１０〜１９のいずれか一項に記載のデータ伝送装置を含むセッション管理デバイス。
【発明の詳細な説明】
【技術分野】
【０００１】
本願は、２０１６年３月２８日に中国特許庁に提出された中国特許出願２０１６１０１８３６５０．３の優先権を主張し、その全ての内容が援用によりここに取り込まれる。
本開示は、通信技術分野に係り、特にデータ伝送方法、データ伝送装置およびセッション管理デバイスに係る。
【背景技術】
【０００２】
関連するＬＴＥシステムにおいて、下りリンクデータがサービスゲートウェイ（Ｓ−ＧＷ）に到達すると、サービスゲートウェイが移動性管理エンティティ（ＭＭＥ）に下りリンクデータ通知（Ｄｏｗｎｌｉｎｋ  Ｄａｔａ  Ｎｏｔｉｆｉｃａｔｉｏｎ）を送信し、移動性管理エンティティによってページングプロシージャを引き起こす。端末（ＵＥ）は、移動性管理エンティティから送信されるページングメッセージを受信してサービス要求プロシージャ（Ｓｅｒｖｉｃｅ  Ｒｅｑｕｅｓｔ  Ｐｒｏｃｅｄｕｒｅ）をトリガーする。無線ベアラとＳ１ベアラが確立されると、サービスゲートウェイから端末へ下りリンクデータを送信する。具体的に、ネットワークでトリガーされるサービス要求フローは、図１に示すステップを含む。
【０００３】
ステップ１．１において、サービスゲートウェイは、パケットデータゲートウェイから伝送される下りリンクデータを受信する。
【０００４】
ステップ１．２において、端末が接続状態ではない場合、サービスゲートウェイは、下りリンクデータをバッファリングし、端末の移動性管理エンティティに下りリンクデータ通知を送信する。
【０００５】
ステップ１．３において、移動性管理エンティティは、下りリンクデータ通知を受信すると、下りリンクデータ通知応答をサービスゲートウェイに送信する。
【０００６】
ステップ１．４において、移動性管理エンティティは、端末の登録したＴＡ（トラッキングエリア）におけるすべての基地局にページングメッセージを送信する。
【０００７】
ステップ１．５において、基地局は、移動性管理エンティティから受信したページングメッセージを端末に転送する。
【０００８】
ステップ１．６において、端末は、当該ページングメッセージを受信すると、サービス要求プロシージャをトリガーする。
【０００９】
ステップ１．７において、サービス要求フローが進み、Ｓ１−Ｕベアラが確立され、サービスゲートウェイから端末への下りリンクデータ伝送が開始される。
【００１０】
次世代移動通信ネットワークにおいて、より豊富なネットワークアプリケーションをサポートし、様々なシーンの業務要求に対応し、様々なユーザのサービス性能要求を満足し、各種類の機器によるアクセスをサポートすることが必要であり、多様化の業務要求により、ネットワークの移動性管理、帯域幅要求、サービス品質およびセキュリティ、課金などに関する様々な要求がある。通信事業者は、多様化の業務要求をサポートするとともに、ネットワーク構築および運営コストの低減や、ネットワーク管理の柔軟性およびネットワークリソースの有効性の向上のために、次世代移動通信において１つの「ネットワーク・フラグメンテーション（またはネットワークスライス）」を利用して特定種類の通信業務をサポートすることを提案する。各ネットワークスライスにおけるネットワーク機能は、特定な業務要求に対する特定な論理的ネットワーク機能の組み合わせである。図２に示すように、３ＧＰＰの通信事業者ネットワークが、３つのネットワーク・フラグメンテーション、すなわちＣｒｉｔｉｃａｌ Ｍａｃｈｉｎｅ-Ｔｙｐｅ-Ｃｏｍｍｕｎｉｃａｔｉｏｎ (ＭＴＣ) ｎｅｔｗｏｒｋ Ｓｌｉｃｅ（Ｃｒｉｔｉｃａｌ  ＭＴＣ  Ｓｌｉｃｅ）、Ｍａｓｓｉｖｅ  ＭＴＣ  Ｓｌｉｃｅｓ、Ｍｏｂｉｌｅ Ｂｒｏａｄｂａｎｄ (ＭＢＢ) ｎｅｔｗｏｒｋ Ｓｌｉｃｅ（ＭＢＢ  Ｓｌｉｃｅ）に区分される。各スライスは、それぞれのユーザ業務に対応し、無線アクセスネットワーク（ＲＡＮ）を介してユーザとのデータ通信が実現される。なお、１つの端末ユーザによる複数業務の同時取得のために、ユーザの異なる業務が、それぞれ異なるネットワークスライスへのアクセスが許容される。
【００１１】
各ネットワークスライスから独立される端末状態管理機能が配置された後に、端末の状態保守が独立に行われる。通常、端末のアクセスしたネットワークスライスにデータ伝送がなければ、ネットワークリソースの利用率が向上するために、ネットワークにおいて当該端末の制御プレーンのコンテキスト情報およびユーザプレーンの伝送経路を保守・更新する必要がない。しかし、当該技術は、コアネットワーク内の伝送経路が動的に更新できないという問題が存在する。これによって、下りリンクデータが、現在サービスを提供している基地局に接続される正確なゲートウェイに伝送されない。
【００１２】
端末が同時に複数のネットワークスライスにアクセスした場合、あるネットワークスライスにデータ伝送があると、当該ネットワークスライスにおいて、当該端末の制御プレーンのコンテキスト情報およびユーザプレーンの伝送経路を保守する必要がある。しかし、端末がアクセスしたネットワークスライスのうちデータ伝送のないネットワークスライスにおいて、ネットワークリソースの利用率が向上するために、当該端末の制御プレーンのコンテキスト情報およびユーザプレーンの伝送経路を保守・更新する必要がない。当該端末の制御プレーンのコンテキスト情報およびユーザプレーンの伝送経路を保守・更新する必要がないネットワークスライスをアイドルスライスと定義すると、アイドルスライスは、以下の２種類に分けられる。
１．端末がアイドル状態に遷移し、すべてのスライスがアイドルスライスである。
２．端末は、複数のネットワークスライスにアクセスしたが、そのうちの１つのネットワークスライスのみでコアネットワークとアクセスネットワークとの間の伝送リンク（Ｓ１接続に類似する）を回復してデータ伝送を行う。端末のアクセスしたほかのネットワークスライスにおいて、コアネットワークとアクセスネットワークとの間の伝送リンクを回復しないため、端末のアクセスしたほかのネットワークスライスが、アイドルスライスである。
【００１３】
アイドルスライスにおいて、ユーザプレーンの伝送経路の保守が端末のために行われないため、スライス内のサービスゲートウェイ（コアネットワーク内の基地局に接続されるボーダゲートウェイとして定義される。）は、端末のアクセスした基地局の変化に伴って更新が行われない。したがって、これらのネットワークスライスにおいて当該端末の下りリンクデータが受信されると、下りリンクデータが、間違ったサービスゲートウェイにバッファリングされる可能性があり、データが正しく伝送されない。
【発明の概要】
【発明が解決しようとする課題】
【００１４】
アイドル状態のネットワークスライスにおいて、ユーザプレーンの伝送経路の保守が端末のために行われないため、これらのネットワークスライスにおいて端末の下りリンクデータが受信されると、下りリンクデータが、間違ったゲートウェイ機能エンティティにバッファリングされる可能性があり、データが正しく伝送されない。この問題を解決するために、本開示の解決しようとする技術課題は、データ伝送方法、データ伝送装置およびセッション管理デバイスを提供することである。
【課題を解決するための手段】
【００１５】
上述した技術問題を解決するために、本開示の実施例によるデータ伝送方法は、下りリンクデータ受信予定の端末の状態情報を取得することと、前記状態情報に基づいて、現在の下りリンクデータの伝送用の第１ゲートウェイ機能エンティティを前記端末のために選択することと、前記第１ゲートウェイ機能エンティティと第２ゲートウェイ機能エンティティとの間の第１データ伝送経路を確定することと、前記第１データ伝送経路に基づいて、前記現在の下りリンクデータを伝送することとを含む。
【００１６】
さらに、下りリンクデータ受信予定の端末の状態情報を取得することは、前記第２ゲートウェイ機能エンティティから送信される下りリンクデータ通知メッセージを受信することと、前記下りリンクデータ通知メッセージに基づいて、端末の状態情報を取得する要求情報を、端末状態を管理する機能エンティティに送信することと、前記端末状態を管理する機能エンティティから、前記要求情報に基づいてフィードバックされる前記端末の状態情報を受信することとを含む。
【００１７】
さらに、下りリンクデータ受信予定の端末の状態情報を取得することは、現在前記第２ゲートウェイ機能エンティティに接続されている第３ゲートウェイ機能エンティティから送信される下りリンクデータ通知メッセージを受信することと、前記下りリンクデータ通知メッセージに基づいて、端末の状態情報を取得する要求情報を、端末状態を管理する機能エンティティに送信することと、前記端末状態を管理する機能エンティティから、前記要求情報に基づいてフィードバックされる前記端末の状態情報を受信することとを含む。
【００１８】
さらに、前記状態情報に基づいて、現在の下りリンクデータの伝送用の第１ゲートウェイ機能エンティティを前記端末のために選択することは、前記端末がアイドル状態であると、端末の直近の位置更新時の位置エリア情報に基づいて、現在の下りリンクデータの伝送用の第１ゲートウェイ機能エンティティを選択すること、または、前記端末が接続状態であると、現在端末にサービスを提供している基地局の情報に基づいて、現在の下りリンクデータの伝送用の第１ゲートウェイ機能エンティティを選択することを含む。
【００１９】
さらに、前記第１ゲートウェイ機能エンティティと第２ゲートウェイ機能エンティティとの間の第１データ伝送経路を確定することは、現在前記第２ゲートウェイ機能エンティティに接続されている第３ゲートウェイ機能エンティティが前記第１ゲートウェイ機能エンティティとは異なる場合、前記第１ゲートウェイ機能エンティティと前記第２ゲートウェイ機能エンティティとの間の前記第１データ伝送経路を確立することを含む。
【００２０】
さらに、前記第１データ伝送経路に基づいて、前記現在の下りリンクデータを伝送することは、前記第１データ伝送経路に基づいて、現在端末にサービスを提供している基地局と前記第１ゲートウェイ機能エンティティとの間の第２データ伝送経路を確立することと、前記第２データ伝送経路を介して、前記第１ゲートウェイ機能エンティティにバッファリングされている下りリンクデータを前記端末に伝送することとを含む。
【００２１】
さらに、前記第１データ伝送経路に基づいて、現在端末にサービスを提供している基地局と前記第１ゲートウェイ機能エンティティとの間の第２データ伝送経路を確立することは、前記端末がアイドル状態であると、アイドル状態の前記端末にページングメッセージを送信することと、前記端末から前記ページングメッセージに基づいて送信される端末サービス要求を受信することと、前記端末サービス要求に基づいて、エアインタフェースベアラの確立要求を、現在端末にサービスを提供している前記基地局に送信することと、前記端末と前記基地局のエアインタフェースベアラの確立完成後に、前記基地局と前記第１ゲートウェイ機能エンティティとの間の第２データ伝送経路を確立することとを含む。
【００２２】
さらに、前記第１データ伝送経路に基づいて、現在端末にサービスを提供している基地局と前記第１ゲートウェイ機能エンティティとの間の第２データ伝送経路を確立することは、前記端末が接続状態であると、エアインタフェースベアラの確立要求を、現在端末にサービスを提供している前記基地局に送信することと、前記端末と前記基地局のエアインタフェースベアラの確立完成後に、前記基地局と前記第１ゲートウェイ機能エンティティとの間の第２データ伝送経路を確立することとを含む。
【００２３】
さらに、前記第１ゲートウェイ機能エンティティにバッファリングされている下りリンクデータは、前記第２ゲートウェイ機能エンティティから前記第１ゲートウェイ機能エンティティに送信された下りリンクデータ、または、現在前記第２ゲートウェイ機能エンティティに接続されている第３ゲートウェイ機能エンティティから転送経路を介して前記第１ゲートウェイ機能エンティティに転送された下りリンクデータである。
【００２４】
本開示の実施例によるデータ伝送装置は、下りリンクデータ受信予定の端末の状態情報を取得するための取得モジュールと、前記状態情報に基づいて、現在の下りリンクデータの伝送用の第１ゲートウェイ機能エンティティを前記端末のために選択するための選択モジュールと、前記第１ゲートウェイ機能エンティティと第２ゲートウェイ機能エンティティとの間の第１データ伝送経路を確定するための確定モジュールと、前記第１データ伝送経路に基づいて、前記現在の下りリンクデータを伝送するための伝送モジュールとを含む。
【００２５】
さらに、前記取得モジュールは、前記第２ゲートウェイ機能エンティティから送信される下りリンクデータ通知メッセージを受信するための第１受信サブモジュールと、前記下りリンクデータ通知メッセージに基づいて、端末の状態情報を取得する要求情報を、端末状態を管理する機能エンティティに送信するための第１送信サブモジュールと、前記端末状態を管理する機能エンティティから、前記要求情報に基づいてフィードバックされる前記端末の状態情報を受信するための第２受信サブモジュールとを含む。
【００２６】
さらに、前記取得モジュールは、現在前記第２ゲートウェイ機能エンティティに接続されている第３ゲートウェイ機能エンティティから送信される下りリンクデータ通知メッセージを受信するための第３受信サブモジュールと、前記下りリンクデータ通知メッセージに基づいて、端末の状態情報を取得する要求情報を、端末状態を管理する機能エンティティに送信するための第２送信サブモジュールと、端末状態を管理する前記機能エンティティから、前記要求情報に基づいてフィードバックされる前記端末の状態情報を受信するための第４受信サブモジュールとを含む。
【００２７】
さらに、前記選択モジュールは、具体的に、前記端末がアイドル状態であると、端末の直近の位置更新時の位置エリア情報に基づいて、現在の下りリンクデータの伝送用の第１ゲートウェイ機能エンティティを選択すること、または、前記端末が接続状態であると、現在端末にサービスを提供している基地局の情報に基づいて、現在の下りリンクデータの伝送用の第１ゲートウェイ機能エンティティを選択することに用いられる。
【００２８】
さらに、前記確定モジュールは、具体的に、現在前記第２ゲートウェイ機能エンティティに接続されている第３ゲートウェイ機能エンティティが前記第１ゲートウェイ機能エンティティとは異なる場合、前記第１ゲートウェイ機能エンティティと前記第２ゲートウェイ機能エンティティとの間の第１データ伝送経路を確立することに用いられる。
【００２９】
さらに、前記伝送モジュールは、前記第１データ伝送経路に基づいて、現在端末にサービスを提供している基地局と前記第１ゲートウェイ機能エンティティとの間の第２データ伝送経路を確立するための確立サブモジュールと、前記第２データ伝送経路を介して、前記第１ゲートウェイ機能エンティティにバッファリングされている下りリンクデータを前記端末に伝送するための伝送サブモジュールとを含む。
【００３０】
さらに、前記確立サブモジュールは、前記端末がアイドル状態であると、アイドル状態の前記端末にページングメッセージを送信するためのページングユニットと、前記端末から前記ページングメッセージに基づいて送信される端末サービス要求を受信するための第１受信ユニットと、前記端末サービス要求に基づいて、エアインタフェースベアラの確立要求を、現在前記端末にサービスを提供している基地局に送信するための第１送信ユニットと、前記端末と前記基地局のエアインタフェースベアラの確立完成後に、前記基地局と前記第１ゲートウェイ機能エンティティとの間の第２データ伝送経路を確立するための第１確立ユニットとを含む。
【００３１】
さらに、前記確立サブモジュールは、前記端末が接続状態であると、エアインタフェースベアラの確立要求を、現在前記端末にサービスを提供している基地局に送信するための第２送信ユニットと、前記端末と前記基地局のエアインタフェースベアラの確立完成後に、前記基地局と前記第１ゲートウェイ機能エンティティとの間の第２データ伝送経路を確立するための第２確立ユニットとを含む。
【００３２】
さらに、前記第１ゲートウェイ機能エンティティにバッファリングされている下りリンクデータは、前記第２ゲートウェイ機能エンティティから前記第１ゲートウェイ機能エンティティに送信された下りリンクデータ、または、現在前記第２ゲートウェイ機能エンティティに接続されている第３ゲートウェイ機能エンティティから転送経路を介して前記第１ゲートウェイ機能エンティティに転送された下りリンクデータである。
【００３３】
本開示の実施例によるデータ伝送装置は、プロセッサと、バスインタフェースを介して前記プロセッサに接続され、前記プロセッサによる操作実行時に使用されるコンピュータコマンドとデータを記憶するためのメモリとを含む。前記プロセッサが前記コンピュータコマンドを実行することにより、上述の方法を実現する。
【００３４】
本開示の実施例は、上述のデータ伝送装置を含むセッション管理デバイスをさらに提供する。
【発明の効果】
【００３５】
本開示において、アイドル状態のネットワークスライスによる下りリンクデータ伝送が行われる場合、まず端末の状態情報に基づいて、ネットワークスライスおいて下りリンクデータを直接伝送するゲートウェイ機能エンティティを選択することにより、最も先に下りリンクデータを受信したゲートウェイ機能エンティティが、下りリンクデータを、下りリンクデータを直接伝送する正確なゲートウェイ機能エンティティに伝送することができる。よって、下りリンクデータが間違ったゲートウェイ機能エンティティに送信されることにより、該当する端末に伝送されないという問題が避けられる。本開示に用いられるデータ伝送方式によれば、データの正確な伝送が保証され、通信の信頼性が向上する。
【図面の簡単な説明】
【００３６】
【図１】図１は、ネットワークでトリガーされるサービス要求のフローチャートである。
【図２】図２は、業務別のネットワークスライスを示す。
【図３】図３は、本開示の実施例のデータ伝送方法のフローチャートである。
【図４Ａ】図４Ａは、本開示の実施例のデータ伝送方法の他のフローチャートである。
【図４Ｂ】図４Ｂは、本開示の実施例のデータ伝送方法における一部ステップの詳細なフローチャートである。
【図４Ｃ】図４Ｃは、本開示の実施例のデータ伝送方法における一つのステップのサブステップの詳細なフローチャートである。
【図５】図５は、本開示の実施例の端末がアイドル状態である場合のデータ伝送方法のフローチャートである。
【図６】図６は、本開示の実施例の端末が接続状態である場合のデータ伝送方法のフローチャートである。
【図７】図７は、本開示の実施例のデータ伝送方法のフローチャートである。
【図８】図８は、本開示の実施例のデータ伝送方法の詳細なフローチャートである。
【図９Ａ】図９Ａは、本開示の実施例のデータ伝送装置の構造図である。
【図９Ｂ】図９Ｂは、図９Ａに示すデータ伝送装置の取得モジュールの詳細な構造図である。
【図９Ｃ】図９Ｃは、図９Ａに示すデータ伝送装置の伝送モジュールの詳細な構造図である。
【図９Ｄ】図９Ｄは、図９Ａに示すデータ伝送装置の伝送モジュールの確立サブモジュールの詳細な構造図である。
【図１０】図１０は、本開示の実施例のデータ伝送装置の別の構造図である。
【図１１】図１１は、本開示の実施例のセッション管理デバイスの構造図である。
【発明を実施するための形態】
【００３７】
以下、図面および具体的な実施例を参照しながら本開示を詳細に記載することにより、本開示の目的、技術手段および利点がより明確になる。
【００３８】
アイドル状態のネットワークスライスにおいてユーザプレーンの伝送経路の保守が端末のために行われないため、これらのネットワークスライスが端末宛ての下りリンクデータを受信すると、間違ったゲートウェイ機能エンティティに下りリンクデータをバッファリングする可能性があり、データが正しく伝送されない。この問題に対し、本開示は、データ伝送方法、データ伝送装置およびセッション管理デバイスを提供する。
【００３９】
図３に示すされているように、本開示の実施例によるデータ伝送方法は、ステップ３１〜ステップ３４を含む。
【００４０】
ステップ３１において、下りリンクデータ受信予定の端末の状態情報を取得する。
【００４１】
ステップ３２において、当該状態情報に基づいて、現在の下りリンクデータの伝送用の第１ゲートウェイ機能エンティティを端末のために選択する。
【００４２】
ステップ３３において、第１ゲートウェイ機能エンティティと第２ゲートウェイ機能エンティティとの間の第１データ伝送経路を確定する。
【００４３】
ステップ３４において、第１データ伝送経路に基づいて、現在の下りリンクデータを伝送する。
【００４４】
なお、当該データ伝送方法は、アイドル状態のネットワークスライスにおいて応用されるものであり、かつ本実施例の第１ゲートウェイ機能エンティティは、ネットワークスライス内の第１サービスゲートウェイ、すなわち下りリンクデータ伝送用に選択された新しいサービスゲートウェイを指し、当該第２ゲートウェイ機能エンティティは、ネットワークスライス内のサービスゲートウェイを指す。アイドル状態のネットワークスライスによる下りリンクデータ伝送が必要となる場合、まず当該下りリンクデータ受信予定の端末を確定し、それから当該端末のサービスゲートウェイを確定し、改めて選択したサービスゲートウェイを利用して下りリンクデータを伝送する。これによって、下りリンクデータの正確な伝送が保証され、通信の信頼性が向上する。
【００４５】
なお、当該データ伝送方法は、データ伝送装置に応用される。具体的に、当該データ伝送装置は、セッション管理機能エンティティに含まれる。
【００４６】
図４に示されているように、本開示の実施例のデータ伝送方法は、ステップ４１〜ステップ４６を含む。
【００４７】
ステップ４１において、第２ゲートウェイ機能エンティティから送信される下りリンクデータ通知メッセージを受信する。
【００４８】
なお、ネットワーク側による下りリンクデータの送信に際し、まず下りリンクデータがデータゲートウェイに送信されるため、本実施例の第２ゲートウェイ機能エンティティは、データゲートウェイを指す。本実施例において、データゲートウェイは、下りリンクデータを受信すると、該データゲートウェイに接続されるサービスゲートウェイが下りリンクデータを端末に正しく伝送するサービスゲートウェイであるか否かが分からないため、下りリンクデータを受信した後に、まずサービスゲートウェイを選択し、下りリンクデータ通知メッセージをセッション管理機能エンティティに送信する必要がある。これによって、セッション管理機能エンティティは、当該下りリンクデータを正しく受信するサービスゲートウェイを確定する。
【００４９】
ステップ４２において、下りリンクデータ通知メッセージに基づいて、端末状態情報に対する要求情報を、端末状態を管理する機能エンティティに送信する。
【００５０】
ステップ４３において、端末状態を管理する機能エンティティから、当該要求情報に基づいてフィードバックされる端末状態情報を受信する。
【００５１】
端末状態を管理する機能エンティティは、端末状態情報に対する要求情報を受信すると、該機能エンティティに記録した端末状態コンテキストから対応する端末状態情報を見つけ出し、当該情報をセッション管理機能エンティティにフィードバックする。
【００５２】
ステップ４４において、当該状態情報に基づいて、現在の下りリンクデータの伝送用の第１ゲートウェイ機能エンティティを端末のために選択する。
【００５３】
なお、本実施例の第１ゲートウェイ機能エンティティは、第１サービスゲートウェイを指す。
【００５４】
ステップ４５において、第１ゲートウェイ機能エンティティと第２ゲートウェイ機能エンティティとの間の第１データ伝送経路を確定する。
【００５５】
ステップ４６において、第１データ伝送経路に基づいて、現在の下りリンクデータを伝送する。
【００５６】
以下、図４Ｂと図４Ｃを参照しながらステップ４４〜ステップ４６の具体的な実現手段を詳細に記載する。
【００５７】
ステップ４４の具体的な実現手段は、ステップ４４１を含む。すなわち、端末がアイドル状態であると、端末の直近の位置更新時の位置エリア情報に基づいて、現在の下りリンクデータを伝送する第１ゲートウェイ機能エンティティを選択する。
【００５８】
なお、端末がアイドル状態にある場合、現在端末が基地局に接続されていないことを示し、この場合に基地局の情報を取得することができず、トラッキングエリア（ＴＡ）情報から、端末の直近の更新時の位置エリア情報を取得する必要がある。この位置エリア情報によって、端末にサービスを提供する基地局を確定し、それからサービスゲートウェイを選択する。
【００５９】
または、ステップ４４の具体的な実現手段は、ステップ４４２を含む。すなわち、端末が接続状態であると、現在端末にサービスを提供している基地局の情報に基づいて、現在の下りリンクデータの伝送用の第１ゲートウェイ機能エンティティを選択する。
【００６０】
なお、端末が接続状態にある場合、端末が基地局に接続されていることを示す。セッション管理機能エンティティは、現在端末にサービスを提供している基地局の情報を取得すれば、サービスゲートウェイを選択することができる。
【００６１】
具体的に、データゲートウェイとサービスゲートウェイとの間の伝送経路を確定する時に、ステップ４５は、ステップ４５１とステップ４５２を含む。
【００６２】
ステップ４５１において、現在第２ゲートウェイ機能エンティティに接続されている第３ゲートウェイ機能エンティティが第１ゲートウェイ機能エンティティとは異なる場合、第１ゲートウェイ機能エンティティと第２ゲートウェイ機能エンティティとの間の第１データ伝送経路を確立する。
【００６３】
ステップ４５２において、現在第２ゲートウェイ機能エンティティに接続されている第３ゲートウェイ機能エンティティが第１ゲートウェイ機能エンティティと同一である場合、セッション管理機能エンティティは、元のデータ伝送経路による下りリンクデータの伝送を第２ゲートウェイ機能エンティティに通知する。
【００６４】
第２ゲートウェイ機能エンティティと第１ゲートウェイ機能エンティティとの間の伝送経路の確立後に、下りリンクデータの具体的な伝送が行われる。ステップ４６の具体的な実現手段は、ステップ４６１とステップ４６２を含む。
【００６５】
ステップ４６１において、第１データ伝送経路に基づいて、現在端末にサービスを提供している基地局と第１ゲートウェイ機能エンティティとの間の第２データ伝送経路を確立する。
【００６６】
ステップ４６１において、当該ネットワークスライスにおいて新たに確定されたサービスゲートウェイと、端末にサービスを提供する基地局との伝送経路が確立されることにより、当該ネットワークスライスと基地局との接続状態が保証される。
【００６７】
ステップ４６２において、第２データ伝送経路を介して、第１ゲートウェイ機能エンティティにバッファリングされている下りリンクデータを端末に伝送する。
【００６８】
サービスゲートウェイと基地局との間の伝送経路が確立されると、サービスゲートウェイにバッファリングされている下りリンクデータは、基地局に伝送され、基地局を経由して対応する端末に送信される。
【００６９】
なお、本実施例において、第１ゲートウェイ機能エンティティにバッファリングされている下りリンクデータは、第２ゲートウェイ機能エンティティから第１ゲートウェイ機能エンティティに送信された下りリンクデータである。
【００７０】
本実施例において、下りリンクデータ受信予定の端末がアイドル状態であると、下りリンクデータが端末に伝送されるには、まず端末と基地局との接続を確立する必要がある。具体的に、図４Ｃに示されているように、ステップ４６１の実現手段においてステップ４６１１〜ステップ４６１４を含む。
【００７１】
ステップ４６１１において、端末がアイドル状態であると、アイドル状態の端末にページングメッセージを送信する。
【００７２】
ステップ４６１２において、端末からページングメッセージに基づいて送信される端末サービス要求を受信する。
【００７３】
ステップ４６１３において、端末サービス要求に基づいて、エアインタフェースベアラの確立要求を、現在端末にサービスを提供している基地局に送信する。
【００７４】
ステップ４６１４において、端末と基地局のエアインタフェースベアラの確立完成後に、基地局と第１ゲートウェイ機能エンティティとの間の第２データ伝送経路を確立する。
【００７５】
本実施例において、下りリンクデータ受信予定の端末が接続状態であると、下りリンクデータが端末に伝送されるには、基地局とネットワークスライスとの接続を直接確立すればよい。具体的に、図４Ｃに示されているように、ステップ４６１の実現手段においてステップ４６１５〜ステップ４６１６を含む。
【００７６】
ステップ４６１５において、端末が接続状態であると、エアインタフェースベアラの確立要求を、現在端末にサービスを提供している基地局に送信する。
【００７７】
ステップ４６１６において、端末と基地局のエアインタフェースベアラの確立完成後に、基地局と第１ゲートウェイ機能エンティティとの間の第２データ伝送経路を確立する。
【００７８】
次に、端末がアイドル状態、接続状態である場合の本実施例のデータ伝送方法の実際応用における実現フローをそれぞれ説明する。
【００７９】
図５に示されているように、端末がアイドル状態である場合、本開示の実施例のデータ伝送方法の具体的な実現フローは、ステップ５．１〜ステップ５．１６を含む。
【００８０】
ステップ５．１において、アイドル状態のネットワークスライス内のデータゲートウェイは、下りリンクデータを受信すると、まず下りリンクデータをバッファリングし、それから下りリンクデータ通知メッセージをセッション管理機能エンティティに送信する。
【００８１】
ステップ５．２において、セッション管理機能エンティティは、下りリンクデータ通知メッセージを受信すると、端末の状態情報を取得するように、端末状態情報管理機能エンティティ（すなわち上述した端末状態を管理する機能エンティティ）に要求情報を送信する。
【００８２】
ステップ５．３において、端末状態情報管理機能エンティティは、要求情報に基づいて、端末の状態情報をセッション管理機能エンティティにフィードバックする。ここで、端末の状態情報は、端末がアイドル状態であること、および、端末の最新位置情報が端末の直近の位置更新時の位置エリア情報であることを含む。
【００８３】
ステップ５．４において、セッション管理機能エンティティは、端末の状態情報を受信すると、当該状態情報に基づいて、適切なサービスゲートウェイを端末のために選択する。
【００８４】
ステップ５．５において、新しいサービスゲートウェイが元のサービスゲートウェイとは異なる場合、セッション管理機能エンティティは、選択されたサービスゲートウェイとデータゲートウェイとの間の伝送経路を確立し、すなわち伝送経路の更新を行う。逆の場合、セッション管理機能エンティティは、元の伝送経路による下りリンクデータの伝送をデータゲートウェイに通知する。
【００８５】
ステップ５．６において、データゲートウェイは、新しい伝送経路または元の伝送経路で下りリンクデータをサービスゲートウェイに送信する。
【００８６】
ステップ５．７において、サービスゲートウェイは、下りリンクデータをバッファリングする。
【００８７】
ステップ５．８において、セッション管理機能エンティティは、ページングメッセージを基地局に送信する。
【００８８】
ステップ５．９において、基地局は、ページングメッセージを端末に転送する。
【００８９】
ステップ５．１０において、端末は、サービス要求をセッション管理機能エンティティに送信する。
【００９０】
ステップ５．１１において、セッション管理機能エンティティは、エアインタフェースベアラの確立要求を基地局に送信する。
【００９１】
ステップ５．１２において、基地局は、端末との間のエアインタフェースベアラを確立する。
【００９２】
ステップ５．１３において、基地局とサービスゲートウェイとの間の伝送経路を確立する。
【００９３】
ステップ５．１４において、サービスゲートウェイは、基地局との間の伝送経路で下りリンクデータを伝送する。
【００９４】
ステップ５．１５において、基地局は、受信した下りリンクデータを端末に送信する。
【００９５】
ステップ５．１６において、セッション管理機能エンティティは、サービスゲートウェイ選択後の端末の状態情報を端末状態情報管理機能エンティティに送信することによって、端末状態情報管理機能エンティティは、対応する端末の状態情報の更新を行う。
【００９６】
図６に示されているように、端末が接続状態である場合、本開示の実施例のデータ伝送方法の具体的な実現フローは、ステップ６．１〜ステップ６．１３を含む。
【００９７】
ステップ６．１において、アイドル状態のネットワークスライス内のデータゲートウェイは、下りリンクデータを受信すると、まず下りリンクデータをバッファリングし、それから下りリンクデータ通知メッセージをセッション管理機能エンティティに送信する。
【００９８】
ステップ６．２において、セッション管理機能エンティティは、下りリンクデータ通知メッセージを受信すると、端末の状態情報を取得するように、端末状態情報管理機能エンティティに要求情報を送信する。
【００９９】
ステップ６．３において、端末状態情報管理機能エンティティは、要求情報に基づいて、端末の状態情報をセッション管理機能エンティティにフィードバックする。ここで、端末の状態情報は、端末が接続状態であること、および、端末の最新位置情報が現在端末にサービスを提供している基地局の情報、例えば基地局のＩＤ情報であることを含む。
【０１００】
ステップ６．４において、セッション管理機能エンティティは、端末の状態情報を受信すると、当該状態情報に基づいて、適切なサービスゲートウェイを端末のために選択する。
【０１０１】
ステップ６．５において、新しいサービスゲートウェイが元のサービスゲートウェイとは異なる場合、セッション管理機能エンティティは、選択されたサービスゲートウェイとデータゲートウェイとの間の伝送経路を確立し、すなわち伝送経路の更新を行う。逆の場合、セッション管理機能エンティティは、元の伝送経路による下りリンクデータの伝送をデータゲートウェイに通知する。
【０１０２】
ステップ６．６において、データゲートウェイは、新しい伝送経路または元の伝送経路で下りリンクデータをサービスゲートウェイに送信する。
【０１０３】
ステップ６．７において、サービスゲートウェイは、下りリンクデータをバッファリングする。
【０１０４】
ステップ６．８において、セッション管理機能エンティティは、エアインタフェースベアラの確立要求を基地局に送信する。
【０１０５】
ステップ６．９において、基地局は、端末との間のエアインタフェースベアラを確立する。
【０１０６】
ステップ６．１０において、基地局とサービスゲートウェイとの間の伝送経路を確立する。
【０１０７】
なお、ステップ６．８〜ステップ６．１０の別の実現方式として、セッション管理機能エンティティは、端末に情報を送信して、端末によるサービス要求をトリガーする。
【０１０８】
ステップ６．１１において、サービスゲートウェイは、基地局との間の伝送経路で下りリンクデータを伝送する。
【０１０９】
ステップ６．１２において、基地局は、受信した下りリンクデータを端末に送信する。
【０１１０】
ステップ６．１３において、セッション管理機能エンティティは、サービスゲートウェイ選択後の端末の状態情報を端末状態情報管理機能エンティティに送信することによって、端末状態情報管理機能エンティティは、対応する端末の状態情報の更新を行う。
【０１１１】
本実施例において、アイドル状態のネットワークスライス内のデータゲートウェイは、下りリンクデータを受信すると、まず下りリンクデータをバッファリングし、それからサービスゲートウェイの選択をトリガーする。伝送するサービスゲートウェイの確定後に、データゲートウェイは、下りリンクデータを対応するサービスゲートウェイに送信し、選択された現在のサービスゲートウェイによって下りリンクデータをバッファリングする。これによって、ネットワークスライスにおける下りリンクデータの伝送が低減し、ネットワークスライス内のリソース消費が低下する。また、本実施例の方法によれば、下りリンクデータの正確な伝送が保証され、通信の信頼性が向上する。
【０１１２】
図７に示されているように、本開示の実施例のデータ伝送方法の別の例は、ステップ７１〜ステップ７６を含む。
【０１１３】
ステップ７１において、現在第２ゲートウェイ機能エンティティに接続されている第３ゲートウェイ機能エンティティから送信される下りリンクデータ通知メッセージを受信する。
【０１１４】
本実施例において、当該第２ゲートウェイ機能エンティティは、データゲートウェイを指し、当該第３ゲートウェイ機能エンティティは、データゲートウェイに接続される元のサービスゲートウェイを指す。
【０１１５】
ステップ７２において、下りリンクデータ通知メッセージに基づいて、端末の状態情報を取得する要求情報を、端末状態を管理する機能エンティティに送信する。
【０１１６】
ステップ７３において、端末状態を管理する機能エンティティから、当該要求情報に基づいてフィードバックされる端末の状態情報を受信する。
【０１１７】
ステップ７４において、当該状態情報に基づいて、現在の下りリンクデータの伝送用の第１ゲートウェイ機能エンティティを端末のために選択する。
【０１１８】
ステップ７５において、第１ゲートウェイ機能エンティティと第２ゲートウェイ機能エンティティとの間の第１データ伝送経路を確定する。
【０１１９】
ステップ７６において、第１データ伝送経路に基づいて、現在の下りリンクデータを伝送する
【０１２０】
なお、当該データ伝送方法は、データ伝送装置に応用される。具体的に、当該データ伝送装置は、セッション管理機能エンティティに含まれてもよい。
【０１２１】
当該実施例において、主にデータゲートウェイに接続される元のサービスゲートウェイによって下りリンクデータ通知メッセージをトリガーする。データゲートウェイのベアラ容量が限られ、過多の下りリンクデータの受信ができない場合、まず下りリンクデータを元のサービスゲートウェイに送信し、それから元のサービスゲートウェイによって下りリンクデータ通知メッセージをトリガーする。これによって、セッション管理機能エンティティが、サービスゲートウェイを選択することにより、下りリンクデータの正確な伝送を保証する。
【０１２２】
なお、本実施例のステップ７４、ステップ７５およびステップ７６は、それぞれステップ４４、ステップ４５およびステップ４６と同一の方式で実現されることができ、ここでは繰り返して記載しない。
【０１２３】
図８に示されているように、本開示のデータ伝送方法の実際応用における具体的な実現フローは、ステップ８．１〜ステップ８．１４を含む。
【０１２４】
ステップ８．１において、アイドル状態のネットワークスライス内のデータゲートウェイは、受信した下りリンクデータを、該データゲートウェイに接続される元のサービスゲートウェイに送信し、元のサービスゲートウェイは、当該下りリンクデータをバッファリングする。
【０１２５】
ステップ８．２において、元のサービスゲートウェイは、下りリンクデータ通知メッセージをセッション管理機能エンティティに送信する。
【０１２６】
ステップ８．３において、セッション管理機能エンティティは、下りリンクデータ通知メッセージを受信すると、端末の状態情報を取得するように、端末状態情報管理機能エンティティに要求情報を送信する。
【０１２７】
ステップ８．４において、端末状態情報管理機能エンティティは、要求情報に基づいて、端末の状態情報をセッション管理機能エンティティにフィードバックする。ここで、端末の状態情報は、端末がアイドル状態または接続状態であること、および、端末の最新の位置情報を含む。端末がアイドル状態である場合、その最新の位置情報は、端末の直近の位置更新時の位置エリア情報である。端末が接続状態である場合、その最新の位置情報は、現在端末にサービスを提供している基地局の情報である。
【０１２８】
ステップ８．５において、セッション管理機能エンティティは、端末の状態情報を受信すると、当該状態情報に基づいて、適切なサービスゲートウェイを端末のために選択する。
【０１２９】
ステップ８．６において、新しいサービスゲートウェイが元のサービスゲートウェイとは異なる場合、セッション管理機能エンティティは、選択されたサービスゲートウェイとデータゲートウェイとの間の伝送経路を確立し、すなわち伝送経路の更新を行う。逆の場合、セッション管理機能エンティティは、元の伝送経路による下りリンクデータの伝送をデータゲートウェイに通知する。
【０１３０】
ステップ８．７において、データゲートウェイは、新しい伝送経路で下りリンクデータを新しいサービスゲートウェイに送信する。
【０１３１】
ステップ８．８において、元のサービスゲートウェイから新しいサービスゲートウェイへの転送経路を確立する。
【０１３２】
ステップ８．９において、元のサービスゲートウェイは、バッファリングしたデータを新しいサービスゲートウェイに送信する。
【０１３３】
ステップ８．１０において、新しいサービスゲートウェイは、下りリンクデータをバッファリングする。
【０１３４】
ステップ８．１１において、ネットワークスライスとアクセスネットワーク側とのデータ伝送経路を確立する。
【０１３５】
なお、ステップ８．１１において、主に、セッション管理機能エンティティは、アイドル状態の端末をページングしてエアインタフェースベアラを確立し、基地局と新しいサービスゲートウェイとの間の伝送経路を確立する。具体的なプロセスは、上記の実施例の確立プロセスを参照されたく、本実施例において繰り返して記載しない。
【０１３６】
ステップ８．１２において、新しいサービスゲートウェイは、基地局との間のデータ伝送経路で下りリンクデータを伝送する。なお、当該下りリンクデータは、新しいサービスゲートウェイがデータゲートウェイから受信した下りリンクデータおよび元のサービスゲートウェイから新しいサービスゲートウェイに転送された下りリンクデータを含む。
【０１３７】
ステップ８．１３において、基地局は、受信した下りリンクデータを端末に送信する。
【０１３８】
ステップ８．１４において、セッション管理機能エンティティは、サービスゲートウェイ選択後の端末の状態情報を端末状態情報管理機能エンティティに送信する。端末状態情報管理機能エンティティは、対応する端末の状態情報の更新を行う。
【０１３９】
なお本実施例において、アイドル状態のネットワークスライス内のデータゲートウェイは、下りリンクデータを受信すると、まず、それまでに確立されている経路で下りリンクデータを元のサービスゲートウェイに送信する。元のサービスゲートウェイは、下りリンクデータをバッファリングしてから、新しいサービスゲートウェイの選択をトリガーする。下りリンクデータの伝送用の新しいサービスゲートウェイを確定すると、データゲートウェイと新しいサービスゲートウェイとの間の伝送経路、および元のサービスゲートウェイと新しいサービスゲートウェイとの間の転送経路を確立し、選択された新しいサービスゲートウェイによって下りリンクデータをバッファリングする。これによって、下りリンクデータの正確な伝送が保証され、通信の信頼性が向上する。
【０１４０】
図９に示されているように、本開示の実施例によるデータ伝送装置９０は、下りリンクデータ受信予定の端末の状態情報を取得するための取得モジュール９１と、状態情報に基づいて、現在の下りリンクデータの伝送用の第１ゲートウェイ機能エンティティを端末のために選択するための選択モジュール９２と、第１ゲートウェイ機能エンティティと第２ゲートウェイ機能エンティティとの間の第１データ伝送経路を確定するための確定モジュール９３と、第１データ伝送経路に基づいて、現在の下りリンクデータを伝送するための伝送モジュール９４とを含む。
【０１４１】
具体的に、取得モジュール９１は、第２ゲートウェイ機能エンティティから送信される下りリンクデータ通知メッセージを受信するための第１受信サブモジュール９１１と、下りリンクデータ通知メッセージに基づいて、端末の状態情報を取得する要求情報を、端末状態を管理する機能エンティティに送信するための第１送信サブモジュール９１２と、端末状態を管理する機能エンティティから、要求情報に基づいてフィードバックされる端末の状態情報を受信するための第２受信サブモジュール９１３とを含む。
【０１４２】
選択可能に、取得モジュール９１は、現在第２ゲートウェイ機能エンティティに接続されている第３ゲートウェイ機能エンティティから送信される下りリンクデータ通知メッセージを受信するための第３受信サブモジュール９１４と、下りリンクデータ通知メッセージに基づいて、端末の状態情報を取得する要求情報を、端末状態を管理する機能エンティティに送信するための第２送信サブモジュール９１５と、端末状態を管理する機能エンティティから、要求情報に基づいてフィードバックされる端末の状態情報を受信するための第４受信サブモジュール９１６とを含む。
【０１４３】
選択モジュール９２は、具体的に、端末がアイドル状態であると、端末の直近の位置更新時の位置エリア情報に基づいて、現在の下りリンクデータの伝送用の第１ゲートウェイ機能エンティティを選択すること、または、端末が接続状態であると、現在端末にサービスを提供している基地局の情報に基づいて、現在の下りリンクデータの伝送用の第１ゲートウェイ機能エンティティを選択することに用いられる。
【０１４４】
確定モジュール９３は、具体的に、現在第２ゲートウェイ機能エンティティに接続されている第３ゲートウェイ機能エンティティが第１ゲートウェイ機能エンティティとは異なる場合、第１ゲートウェイ機能エンティティと第２ゲートウェイ機能エンティティとの間の第１データ伝送経路を確立することに用いられる。
【０１４５】
選択可能に、伝送モジュール９４は、第１データ伝送経路に基づいて、現在端末にサービスを提供している基地局と第１ゲートウェイ機能エンティティとの間の第２データ伝送経路を確立するための確立サブモジュール９４１と、第２データ伝送経路を介して、第１ゲートウェイ機能エンティティにバッファリングされている下りリンクデータを端末に伝送するための伝送サブモジュール９４２とを含む。
【０１４６】
具体的に、確立サブモジュール９４１は、端末がアイドル状態であると、アイドル状態の端末にページングメッセージを送信するためのページングユニット９４１１と、端末からページングメッセージに基づいて送信される端末サービス要求を受信するための第１受信ユニット９４１２と、端末サービス要求に基づいて、エアインタフェースベアラの確立要求を、現在端末にサービスを提供している基地局に送信するための第１送信ユニット９４１３と、端末と基地局のエアインタフェースベアラの確立完成後に、基地局と第１ゲートウェイ機能エンティティとの間の第２データ伝送経路を確立するための第１確立ユニット９４１４とを含む。
【０１４７】
選択可能に、前記確立サブモジュール９４１は、端末が接続状態であると、エアインタフェースベアラの確立要求を、現在端末にサービスを提供している基地局に送信するための第２送信ユニット９４１５と、端末と基地局のエアインタフェースベアラの確立完成後に、基地局と第１ゲートウェイ機能エンティティとの間の第２データ伝送経路を確立するための第２確立ユニット９４１６とを含む。
【０１４８】
なお、第１ゲートウェイ機能エンティティにバッファリングされている下りリンクデータは、データゲートウェイから第１ゲートウェイ機能エンティティに送信された下りリンクデータ、または、現在第２ゲートウェイ機能エンティティに接続されている第３ゲートウェイ機能エンティティから転送経路を介して第１ゲートウェイ機能エンティティに転送された下りリンクデータである。
【０１４９】
なお、当該装置の実施例は、方法実施例に一対一に対応する装置である。上述した方法実施例におけるすべての実現方式は、当該装置の実施例に適用し、同一の技術効果を奏することもできる。
【０１５０】
図１０に示されているように、本開示の実施例によるデータ伝送装置１０１０は、プロセッサ１０１１と、バスインタフェース１０１２を介してプロセッサ１０１１に接続されるメモリ１０１３とを含む。該メモリ１０１３が、プロセッサによる操作実行時に使用されるコンピュータコマンドとデータを記憶する。プロセッサ１０１１は、メモリ１０１３に記憶されているコンピュータコマンドとデータを呼び出して実行することによって、下りリンクデータ受信予定の端末の状態情報を取得するための取得モジュールと、状態情報に基づいて、現在の下りリンクデータの伝送用の第１ゲートウェイ機能エンティティを端末のために選択するための選択モジュールと、第１ゲートウェイ機能エンティティと第２ゲートウェイ機能エンティティとの間の第１データ伝送経路を確定するための確定モジュールと、第１データ伝送経路に基づいて、現在の下りリンクデータを伝送するための伝送モジュールとを実現する。
【０１５１】
当該プロセッサ１０１１は、上述装置のそれ以外の任意モジュールの機能も実現する。なお、当該装置は、セッション管理機能エンティティの一部であってもよい。
【０１５２】
また、プロセッサ１０１１は、メモリ１０１３に記憶されているコンピュータコマンドとデータを呼び出して実行すると、本開示の図３〜図８の実施例に記載されているデータ伝送方法を実現することができる。
【０１５３】
当業者であれば、上記実施例のすべてまたは一部のステップは、ハードウェイで実行されてもよく、コンピュータプログラムで関連ハードウェアに指示して実行されてもよいと理解できる。当該コンピュータプログラムは、上記方法のすべてまたは一部のステップを実行するコマンドを含み、かつあらゆる形態のコンピュータ読み取り可能な記憶媒体に記憶される。
【０１５４】
本開示の実施例は、セッション管理デバイス１１１０をさらに提供する。図１１に示されているように、当該セッション管理デバイス１１１０は、データ伝送装置１１１１を含む。当該データ伝送装置１１１１は、例えば図９Ａに示すデータ伝送装置９０や図１０に示すデータ伝送装置１０１０など、上記の実施例に記載されているデータ伝送装置であってもよく、上記の実施例に記載されているデータ伝送装置のサブモジュールまたはユニットを含んでもよい。または、当該データ伝送装置１１１１は、以上記載されているデータ伝送装置の機能を実現してもよい。
【０１５５】
なお、当該セッション管理デバイスは、データ通信の際にデータゲートウェイ、サービスゲートウェイおよび基地局との接続が実現され、ネットワークでデータの正確な伝送が保証される。
【０１５６】
以上記載されたのは、本開示の選択可能な実施形態である。当業者は、本開示に記載されている原理を逸脱せずに様々な改良や修飾をすることもできる。これらの改良や修飾も、本開示の保護範囲内に含まれる。
【図１】
2019511880.tif 000003
【図２】
2019511880.tif 000004
【図３】
2019511880.tif 000005
【図４Ａ】
2019511880.tif 000006
【図４Ｂ】
2019511880.tif 000007
【図４Ｃ】
2019511880.tif 000008
【図５】
2019511880.tif 000009
【図６】
2019511880.tif 000010
【図７】
2019511880.tif 000011
【図８】
2019511880.tif 000012
【図９Ａ】
2019511880.tif 000013
【図９Ｂ】
2019511880.tif 000014
【図９Ｃ】
2019511880.tif 000015
【図９Ｄ】
2019511880.tif 000016
【図１０】
2019511880.tif 000017
【図１１】
2019511880.tif 000018
【手続補正書】
【提出日】平成30年10月19日(2018.10.19)
【手続補正１】
【補正対象書類名】特許請求の範囲
【補正対象項目名】全文
【補正方法】変更
【補正の内容】
【特許請求の範囲】
【請求項１】
下りリンクデータ受信予定の端末の状態情報を取得することと、
前記状態情報に基づいて、現在の下りリンクデータの伝送用の第１ゲートウェイ機能エンティティを前記端末のために選択することと、
前記第１ゲートウェイ機能エンティティと第２ゲートウェイ機能エンティティとの間の第１データ伝送経路を確定することと、
前記第１データ伝送経路に基づいて、前記現在の下りリンクデータを伝送することとを含むデータ伝送方法。
【請求項２】
下りリンクデータ受信予定の端末の状態情報を取得することは、
前記第２ゲートウェイ機能エンティティから送信される下りリンクデータ通知メッセージを受信することと、
前記下りリンクデータ通知メッセージに基づいて、端末の状態情報を取得する要求情報を、端末状態を管理する機能エンティティに送信することと、
前記端末状態を管理する機能エンティティから、前記要求情報に基づいてフィードバックされる前記端末の状態情報を受信することと
を含む請求項１に記載のデータ伝送方法。
【請求項３】
下りリンクデータ受信予定の端末の状態情報を取得することは、
現在前記第２ゲートウェイ機能エンティティに接続されている第３ゲートウェイ機能エンティティから送信される下りリンクデータ通知メッセージを受信することと、
前記下りリンクデータ通知メッセージに基づいて、端末の状態情報を取得する要求情報を、端末状態を管理する機能エンティティに送信することと、
前記端末状態を管理する機能エンティティから、前記要求情報に基づいてフィードバックされる前記端末の状態情報を受信することと
を含む請求項１に記載のデータ伝送方法。
【請求項４】
前記状態情報に基づいて、現在の下りリンクデータの伝送用の第１ゲートウェイ機能エンティティを前記端末のために選択することは、
前記端末がアイドル状態であると、端末の直近の位置更新時の位置エリア情報に基づいて、現在の下りリンクデータの伝送用の第１ゲートウェイ機能エンティティを選択すること、または、
前記端末が接続状態であると、現在端末にサービスを提供している基地局の情報に基づいて、現在の下りリンクデータの伝送用の第１ゲートウェイ機能エンティティを選択すること
を含む請求項１に記載のデータ伝送方法。
【請求項５】
前記第１ゲートウェイ機能エンティティと第２ゲートウェイ機能エンティティとの間の第１データ伝送経路を確定することは、
現在前記第２ゲートウェイ機能エンティティに接続されている第３ゲートウェイ機能エンティティが前記第１ゲートウェイ機能エンティティとは異なる場合、前記第１ゲートウェイ機能エンティティと前記第２ゲートウェイ機能エンティティとの間の前記第１データ伝送経路を確立することを含む請求項１に記載のデータ伝送方法。
【請求項６】
前記第１データ伝送経路に基づいて、前記現在の下りリンクデータを伝送することは、
前記第１データ伝送経路に基づいて、現在端末にサービスを提供している基地局と前記第１ゲートウェイ機能エンティティとの間の第２データ伝送経路を確立することと、
前記第２データ伝送経路を介して、前記第１ゲートウェイ機能エンティティにバッファリングされている下りリンクデータを前記端末に伝送することと
を含む請求項１に記載のデータ伝送方法。
【請求項７】
前記第１データ伝送経路に基づいて、現在端末にサービスを提供している基地局と前記第１ゲートウェイ機能エンティティとの間の第２データ伝送経路を確立することは、
前記端末がアイドル状態であると、アイドル状態の前記端末にページングメッセージを送信することと、
前記端末から前記ページングメッセージに基づいて送信される端末サービス要求を受信することと、
前記端末サービス要求に基づいて、エアインタフェースベアラの確立要求を、現在端末にサービスを提供している前記基地局に送信することと、
前記端末と前記基地局のエアインタフェースベアラの確立完成後に、前記基地局と前記第１ゲートウェイ機能エンティティとの間の第２データ伝送経路を確立することと
を含む請求項６に記載のデータ伝送方法。
【請求項８】
前記第１データ伝送経路に基づいて、現在端末にサービスを提供している基地局と前記第１ゲートウェイ機能エンティティとの間の第２データ伝送経路を確立することは、
前記端末が接続状態であると、エアインタフェースベアラの確立要求を、現在端末にサービスを提供している前記基地局に送信することと、
前記端末と前記基地局のエアインタフェースベアラの確立完成後に、前記基地局と前記第１ゲートウェイ機能エンティティとの間の第２データ伝送経路を確立することと
を含む請求項６に記載のデータ伝送方法。
【請求項９】
下りリンクデータ受信予定の端末の状態情報を取得するための取得モジュールと、
前記状態情報に基づいて、現在の下りリンクデータの伝送用の第１ゲートウェイ機能エンティティを前記端末のために選択するための選択モジュールと、
前記第１ゲートウェイ機能エンティティと第２ゲートウェイ機能エンティティとの間の第１データ伝送経路を確定するための確定モジュールと、
前記第１データ伝送経路に基づいて、前記現在の下りリンクデータを伝送するための伝送モジュールと
を含むデータ伝送装置。
【請求項１０】
前記取得モジュールは、
第２ゲートウェイ機能エンティティから送信される下りリンクデータ通知メッセージを受信するための第１受信サブモジュールと、
前記下りリンクデータ通知メッセージに基づいて、端末の状態情報を取得する要求情報を、端末状態を管理する機能エンティティに送信するための第１送信サブモジュールと、
前記端末状態を管理する機能エンティティから、前記要求情報に基づいてフィードバックされる前記端末の状態情報を受信するための第２受信サブモジュールと
を含む請求項９に記載のデータ伝送装置。
【請求項１１】
前記取得モジュールは、
現在前記第２ゲートウェイ機能エンティティに接続されている第３ゲートウェイ機能エンティティから送信される下りリンクデータ通知メッセージを受信するための第３受信サブモジュールと、
前記下りリンクデータ通知メッセージに基づいて、端末の状態情報を取得する要求情報を、端末状態を管理する機能エンティティに送信するための第２送信サブモジュールと、
端末状態を管理する前記機能エンティティから、前記要求情報に基づいてフィードバックされる前記端末の状態情報を受信するための第４受信サブモジュールと
を含む請求項９に記載のデータ伝送装置。
【請求項１２】
前記選択モジュールは、
前記端末がアイドル状態であると、端末の直近の位置更新時の位置エリア情報に基づいて、現在の下りリンクデータの伝送用の第１ゲートウェイ機能エンティティを選択すること、または、
前記端末が接続状態であると、現在端末にサービスを提供している基地局の情報に基づいて、現在の下りリンクデータの伝送用の第１ゲートウェイ機能エンティティを選択することに用いられる請求項９に記載のデータ伝送装置。
【請求項１３】
前記確定モジュールは、
現在前記第２ゲートウェイ機能エンティティに接続されている第３ゲートウェイ機能エンティティが前記第１ゲートウェイ機能エンティティとは異なる場合、前記第１ゲートウェイ機能エンティティと前記第２ゲートウェイ機能エンティティとの間の第１データ伝送経路を確立することに用いられる請求項９に記載のデータ伝送装置。
【請求項１４】
前記伝送モジュールは、
前記第１データ伝送経路に基づいて、現在端末にサービスを提供している基地局と前記第１ゲートウェイ機能エンティティとの間の第２データ伝送経路を確立するための確立サブモジュールと、
前記第２データ伝送経路を介して、前記第１ゲートウェイ機能エンティティにバッファリングされている下りリンクデータを前記端末に伝送するための伝送サブモジュールとを含む請求項９に記載のデータ伝送装置。
【請求項１５】
前記確立サブモジュールは、
前記端末がアイドル状態であると、アイドル状態の前記端末にページングメッセージを送信するためのページングユニットと、
前記端末から前記ページングメッセージに基づいて送信される端末サービス要求を受信するための第１受信ユニットと、
前記端末サービス要求に基づいて、エアインタフェースベアラの確立要求を、現在前記端末にサービスを提供している基地局に送信するための第１送信ユニットと、
前記端末と前記基地局のエアインタフェースベアラの確立完成後に、前記基地局と前記第１ゲートウェイ機能エンティティとの間の第２データ伝送経路を確立するための第１確立ユニットとを含み、
及び／又は
前記確立サブモジュールは、
前記端末が接続状態であると、エアインタフェースベアラの確立要求を、現在前記端末にサービスを提供している基地局に送信するための第２送信ユニットと、
前記端末と前記基地局のエアインタフェースベアラの確立完成後に、前記基地局と前記第１ゲートウェイ機能エンティティとの間の第２データ伝送経路を確立するための第２確立ユニットと
を含む請求項１４に記載のデータ伝送装置。
【国際調査報告】
2019511880.tif 000019
2019511880.tif 000020
2019511880.tif 000021
2019511880.tif 000022